(57)【要約】　　　（修正有）【課題】燃焼中の焼却炉に焼却物を追加投入（追焚き）ができるようにして燃焼効率を高める。【解決手段】焼却炉の焼却物貯留部２に通じる焼却物投入口１０に、この口を開閉するスライド式の扉１１を設け、この扉１１が開いたとき焼却炉の焼却物貯留部２と内部が連通するホッパ１２を投入口から上方に延設する。ホッパの上部には焼却物の受入口２５を設け、ホッパ内が気密に保てるようこの口に蓋２６を設ける。ホッパ１２の中に設けたダンパは、ホッパの対向する内壁面にそれぞれ枢支された大小２つの回動板２９ａ、２９ｂから成っている。回動板２９ａは枢支点２９ｃを中心に、ほぼ水平状態から先端が斜めに下がった状態の間を回動することができる。回動板２９ｂは、枢支点２９ｃから垂れ下がった格好で回動し、ほぼ水平状態にある大きい方の回動板２９ａの先端とホッパの内面との間の隙間を開閉することができるようになっている。【選択図】　　　　図１
2004069250.tif 000002
【特許請求の範囲】
【請求項１】
焼却炉本体の焼却物貯留部に通じる投入口を開閉するスライド式の扉と、該投入口から上方に延設され、該扉が開いたとき該焼却物貯留部と内部が連通するホッパと、該ホッパの上部に設けられた焼却物受入口を開閉する蓋と、該ホッパの内部に設けた、焼却物の通過を阻止したり許したりするダンパからなる焼却炉における焼却物の投入装置。
【請求項２】
該ダンパが、該ホッパの対向する内壁面にそれぞれ枢支された大小２つの回動板からなり、大きい方の回動板は枢支点を中心に、ほぼ水平状態から先端が斜めに下がった状態の間を回動することができ、小さいほうの回動板は、枢支点から垂れ下がった格好で回動し、ほぼ水平状態にある大きい方の回動板先端と該ホッパの内面との間の隙間を開閉するように構成されている請求項１に記載の焼却炉における焼却物の投入装置。
【発明の詳細な説明】
【０００１】
【発明の属する技術分野】
この発明は、焼却炉に焼却物を投入するための装置である。
【０００２】
【従来の技術】
従来の小形焼却炉（焼却能力２００ｋｇ／ｈ以下）のほとんどはバッチ式であり、炉内に投入した焼却物が燃え尽きてから、次の焼却物を投入するようになっている。これは、燃焼中に炉の蓋を開けると、火炎や灰、さらにダイオキシン等の有害ガスが出て危険であるからである。
【０００３】
【発明が解決しようとする課題】
このような炉内に投入した焼却物が燃え尽きてから次の焼却物を投入するバッチ式の焼却炉では、盛んに燃焼するのは比較的短い時間だけであり、全稼働時で平均すると燃焼効率はかなり低い。この発明は、燃焼中の焼却炉に焼却物を追加投入（追焚き）ができるようにして、燃焼効率を高めることをことを課題とする。
【０００４】
【課題を解決するための手段】
この発明に係る投入装置は、焼却炉本体の焼却物貯留部に通じる投入口を開閉するスライド式の扉と、投入口から上方に延設され、扉が開いたとき焼却物貯留部と内部が連通するホッパと、ホッパの上部に設けられた焼却物受入口を開閉する蓋と、ホッパの内部に設けた、焼却物の通過を阻止したり許したりするダンパからなる（請求項１）。
【０００５】
この装置では、焼却炉燃焼中に焼却物の追加投入に備え、蓋を開けてホッパの中に焼却物を投入し、ホッパ内のダンパの上に蓄えておく。実際に焼却物を追加投入するときは、焼却炉本体の投入口の扉を開ける。蓋を閉じた状態のホッパは内部空間が密閉状態にあり、このように扉を開いても、焼却炉内の火炎や燃焼ガスがホッパ内に流入することはない。こうして、ダンパを開くと、焼却物は焼却炉の中に落ちてやがて燃焼する。ホッパから炉内に焼却物を投入し終わったらすぐに扉を閉める。
【０００６】
このように、この発明の装置では、投入口に扉を設けると共に、投入口からホッパを延設したので、扉を開けても火炎や燃焼ガスが外に出ない。したがって、焼却炉内で焼却物が燃焼中であっても、それが燃え尽きるのを待たずに次の焼却物を投入することが可能であり、このような焼却物の追加投入を繰り返しながら運転することにより、常時高い燃焼効率を維持することができる。
【０００７】
ダンパは一枚の回動板だけで構成することもできるが、ホッパ内の焼却物の量を少しずつ調節しながら何回かに分けて焼却炉に投入するには無理がある。というのは、回動板を傾けてていくと、ダンパ上の燃焼物が急に滑り出し、いったん滑り出したものを急に止めることは実際上難しいからである。そこで、ダンパは、ホッパの対向する内壁面にそれぞれ枢支された大小２つの回動板から構成し、大きい方の回動板は枢支点を中心に、ほぼ水平状態から先端が斜めに下がった状態の間を回動するように、小さいほうの回動板は、枢支点から垂れ下がった格好で回動し、ほぼ水平状態にある大きい方の回動板先端と該ホッパの内面との間の隙間を開閉するように構成することが好ましい（請求項２）。このようにすれば、大きいほうの回動板の開き具合を調節するだけでなく、小さいほうの回動板の開度を細かく調節する操作を併用することにより、焼却物の投入量を自在に調節することが可能になる。
【０００８】
【発明の実施の形態】
図１に示す焼却炉１はガス化燃焼方式のもので、焼却物貯留部２、ガス化室３、燃焼室５、水ジャケット式の急速冷却塔６、サイクロン式除塵装置７、煙突９からなっている。ガス化室３は焼却物貯留部２の下部に位置し、ここでは、一次燃焼空気が外部から供給され、燃焼物が不完全ながら燃焼し、可燃性ガスを発生する。可燃性ガスは煙突の吸出し力によって燃焼室５に吸い込まれ、ここで、二次燃焼空気といっしょになって高温で燃焼する。燃焼で生じた排ガスは急速冷却塔６で冷却された後、除塵装置７を通って外部に排出される。
【０００９】
焼却炉の焼却物貯留部２に通じる焼却物投入口１０は斜めにあいており、この投入口を密閉するスライド式の扉１１を設ける。この扉１１が開いたとき焼却炉の焼却物貯留部２と内部が連通するホッパ１２を投入口から上方に延設する。
【００１０】
スライド扉１１は、図２に拡大して示すように、投入口１０とホッパ１２を連結している気密のケーシング１３の中に納めてある。このケーシング１３に軸１５を支持し、ケーシングの外に突出するこの軸の端を電動モータ１６でベルト駆動する。この軸１５の途中にスプロケット１７を固定し、扉１１から導いたチェーン１９をこのスプロケット１７に巻き取ることで扉１１が開く（同図ａ）。閉めるときは、スプロケット１７を反対方向に回してチェーン１９を緩めると、扉１１は自重でスライドして投入口１０を閉じる（同図ｂ）。
【００１１】
投入口１０を扉１１でしっかりと密閉するためクランプ装置２０を設けてあり、これについて説明する、コの字型の枠体２１の両端をホッパ１２にそれぞれ枢支し、ホッパに枢支した油圧シリンダ２２のピストンロッド２２ａの先を枠体２１の先端中央に枢支する。油圧シリンダ２２に油圧を供給して伸長させると、枠体２１が枢支点２１ａを中心に回動し、枠体に固定した戸当たり２３が扉１１の両側に当たり、扉を投入口１０の縁に押し付ける（同図ｂ）。こうして、投入口１０は扉１１で密閉される。扉を開くためにスライドするときは、その前に、シリンダ２２を収縮させ、戸当たり２３を扉１１から離すようにする。
【００１２】
ホッパの上部には焼却物の受入口２５を設け、ホッパ内が気密に保てるようこの口に蓋２６を設ける。蓋２６はホッパ１２に枢支されており、この蓋を開閉するための油圧シリンダ２７のシリンダ端をホッパに枢支し、ピストンロッド２７ａの先を蓋２６に枢支する。油圧シリンダ２７を伸長すると、図１に実線で示すように蓋が閉まり、反対に油圧シリンダを収縮させると蓋が開く。
【００１３】
ホッパ１２の中には、焼却物Ａの通過を阻止し、または通過を許すダンパ２９を設ける。このダンパは、ホッパの対向する内壁面にそれぞれ枢支された大小２つの回動板２９ａ、２９ｂから成っている。大きい方の回動板２９ａは枢支点２９ｃを中心に、ほぼ水平状態から先端が斜めに下がった状態の間を回動することができる。小さいほうの回動板２９ｂは、枢支点２９ｃから垂れ下がった格好で回動し、ほぼ水平状態にある大きい方の回動板２９ａの先端とホッパの内面との間の隙間を開閉することができるようになっている。符号３０ａ、３０ｂはこれら大小の回動板をそれぞれ回動するための油圧シリンダである。
【００１４】
焼却炉１の傍らに立つのはバケット昇降装置（スキップ装置）３１であり、燃焼物をバッケット３１ａに積んで支柱３１ｂに沿って上昇させ、所定の高さまで来るとガイド３１ｃに案内されてバケットが転倒し、燃焼物がホッパ１２の中にこぼれ落ちるようになっている。
【００１５】
次にこの装置の作用を説明する。焼却炉の始動時は、ヒンジ蓋２６、ダンパ２９およびスライド扉１１をそれぞれ全開にし、スキップ装置３１を利用して、受入口２５からホッパの中に焼却物を投入する。投入された焼却物はホッパの中を通過し、投入口１０から焼却炉の焼却物貯留部２に落ちる。焼却物貯留部２が満杯になったら、スライド扉を閉鎖して燃焼を開始する。他方、燃焼物の追加投入に備えてダンパ２９を図１に実線で示すように閉じ、その上に焼却物Ａを溜めておく。
【００１６】
覗き窓２ａから観察して、焼却物貯留部２に溜まっている焼却物Ａが少なくなったら、焼却物の追加投入を行う。まず、ホッパ上部のヒンジ蓋２６を閉じてホッパ内部を密閉状態にした後、スライド扉１１をあける。次いで、ダンパ２９をあけるのであるが、まず、小さいほうの回動板２９ｂを鎖線のように開き、次に大きいほうの回動板２９ａを鎖線のように開ける。これでダンパの上に載っていた焼却物が滑るようにして焼却炉の中に落ちる。こうして、ダンパの上にあった焼却物全部をいっぺんに下の焼却炉に落とすことができる。焼却物を様子を見ながら少しずつ焼却炉に追加投入する場合は、大きいほうの回動板２９ａを焼却物が滑り落ちる程度に少しだけ傾け、その状態で、小さいほうの回動板２９ｂを少しずつ開いて行き、両回動板の間から焼却物が少しずつこぼれ落ちるようにする。このように大小の回動板をうまく使いこなすことで、焼却物の投入を細かく調節することができる。
【図面の簡単な説明】
【図１】焼却物の投入装置を備えた焼却炉の全体側面図であリ、要部は内部が見えるよう破断して示す。
【図２】スライド扉の拡大図であリ、上図は開放状態、下図は閉鎖状態を示す。
【符号の説明】
１　焼却炉
２　焼却物貯留部
１０　焼却物投入口
１１　扉
１２　ホッパ
２５　受入口
２６　蓋
２９　ダンパ
２９ａ　大きい回動板
２９ｂ　小さい回動板
Ａ　燃焼物
【図１】
2004069250.tif 000003
【図２】
2004069250.tif 000004